(57)【要約】【課題】  送信側の無線通信装置から受信側の無線通信装置へ音声データ及びデータを無線通信する無線通信システムで、通信の効率化を図る。【解決手段】  送信側と受信側との間で通信されるスロットには、大きい領域及び小さい領域が設けられる。送信側は、音声データ及びデータを同時に送信する状態において、送信対象となる音声データの有無を検出し、有ると判定した場合には音声データを大きい領域に格納してデータを小さい領域に格納したスロットを形成し、無いと判定した場合にはデータを大きい領域に格納したスロットを形成し、形成したスロットを受信側に対して無線送信する。【選択図】  図１
2007043481.tif 000002
【特許請求の範囲】
【請求項１】
送信側の無線通信装置から受信側の無線通信装置へ音声データ及びデータを無線により通信する無線通信システムにおいて、
前記送信側の無線通信装置と前記受信側の無線通信装置との間で通信されるスロットには、大きい領域及び小さい領域が設けられ、
前記送信側の無線通信装置は、音声データ及びデータを同時に送信する状態において送信対象となる音声データの有無を検出する検出手段と、
前記音声データ及びデータを同時に送信する状態において、前記検出手段により送信対象となる音声データが有ると判定された場合には送信対象となる音声データを前記大きい領域に格納して送信対象となるデータを前記小さい領域に格納したスロットを形成し、前記検出手段により送信対象となる音声データが無いと判定された場合には送信対象となるデータを前記大きい領域に格納したスロットを形成するスロット形成手段と、
前記スロット形成手段により形成されたスロットを前記受信側の無線通信装置に対して無線送信する無線送信手段と、を備えた、
ことを特徴とする無線通信システム。
【請求項２】
請求項１に記載の無線通信システムにおいて、
前記送信側の無線通信装置では、前記スロット形成手段は、前記検出手段による検出結果に基づいて音声データの有無を示す情報を含むスロットを形成し、
前記受信側の無線通信装置は、前記送信側の無線通信装置から無線送信されたスロットを受信する無線受信手段と、
前記無線受信手段により受信されたスロットに含まれる前記音声データの有無を示す情報に基づいて、前記無線受信手段により受信された同一のスロット又は異なるスロットに含まれる音声データ及びデータの両方或いはデータを抽出する抽出手段と、を備えた、
ことを特徴とする無線通信システム。
【発明の詳細な説明】
【技術分野】
【０００１】
本発明は、音声データ及びデータを無線により通信する無線通信システムに関し、特に、通信の効率化を図った無線通信システムに関する。
【背景技術】
【０００２】
例えば、移動通信システムなどの無線通信システムでは、基地局装置などと移動局装置などとの間で無線により音声データやデータを通信することが行われている。
図４には、無線通信処理を行うデジタル無線通信部の送信側の構成例を示してある。
本例の送信側では、音声信号が音声コーデック３１により符号化されて音声データへ変換された後に処理部３３へ伝達され、また、メモリ３２にデータが蓄積されており、処理部３３が音声コーデック３１からの音声データとメモリ３２からのデータを用いてスロットを形成して無線により送信する。
【０００３】
図５には、１個のスロットの構成例を示してある。
１個のスロットは、制御データを伝送するための領域Ａ１と、音声データとデータを同時に伝送する際にデータ伝送に使用される領域Ａ２と、音声データ又はデータを伝送するための領域Ａ３から構成されている。
スロット化されたデジタル方式の無線通信では、図５に示されるように、音声データとデータを同時に伝送する場合には、音声データを音声データ又はデータを伝送するための領域Ａ３で伝送し、データを音声データとデータを同時に伝送するための領域Ａ２で伝送する。
ここで、音声信号の再現性を保つことが必要となることから、音声データ又はデータを伝送するための領域Ａ３はスロット中の大きな部分を占める必要があり、このため、音声データとデータを同時に伝送するための領域Ａ２は小さくなっている。
【０００４】
図６には、音声データとデータを同時に伝送する場合における、スロット構成の時系列的な流れの一例を示してある。
図示されるように、音声の入力の有無にかかわらず、音声データは音声データ又はデータを伝送するための領域Ａ３に格納され、データは音声データとデータを同時に伝送するための領域Ａ２に格納される。このため、例えば、音声の入力が無いときには、領域４２、４４のように実質的に有効な音声データが無いのに大きな領域を無駄に占有してしまい、領域４１、４３のようにデータを小さい領域で伝送することとなってしまう。
【０００５】
【特許文献１】特開２００１−３０９４３７号公報
【発明の開示】
【発明が解決しようとする課題】
【０００６】
上述のように、図６に示されるような従来方式では、音声データとデータを同時に伝送する場合に、データ伝送に使用する領域Ａ２が常に小さいため、データを伝送する速度が低くなってしまい、データの伝送に長い時間を要してしまうといった不具合があった。また、上述のように、音声データについて無駄な通信が発生してしまい、全体的に通信が非効率的であった。
本発明は、このような従来の事情に鑑み為されたもので、音声データ及びデータを無線により通信するに際して、通信の効率化を図ることができる無線通信システムを提供することを目的とする。
【課題を解決するための手段】
【０００７】
上記目的を達成するため、本発明に係る無線通信システムでは、次のような構成により、送信側の無線通信装置から受信側の無線通信装置へ音声データ及びデータを無線により通信する。
すなわち、前記送信側の無線通信装置と前記受信側の無線通信装置との間で通信されるスロットには、大きい領域及び小さい領域が設けられる。
前記送信側の無線通信装置では、音声データ及びデータを同時に送信する状態において、検出手段が送信対象となる音声データの有無を検出し、そして、スロット形成手段が、前記検出手段により送信対象となる音声データが有ると判定された場合には、送信対象となる音声データを前記大きい領域に格納して送信対象となるデータを前記小さい領域に格納したスロットを形成し、前記検出手段により送信対象となる音声データが無いと判定された場合には、送信対象となるデータを前記大きい領域に格納したスロットを形成する。また、無線送信手段が、前記スロット形成手段により形成されたスロットを前記受信側の無線通信装置に対して無線送信する。
【０００８】
従って、音声データ及びデータを同時に送信する状態において、送信対象となる音声データが有るときにはスロット中の大きい領域に音声データを格納し且つ小さい領域にデータを格納し、送信対象となるデータが無いときにはスロット中の大きい領域にデータを格納して、通信が行われるため、例えば、音声データ及びデータを同時に送信する状態であるが一時的に送信対象となる音声データが無いようなときに、データの通信効率を高めることができ、全体として、通信の効率化を図ることができる。
一例として、人により発せられる音声をデータ化してリアルタイムに伝送するのと同時に他のデータを伝送する場合に、人により発せられる音声が途切れた時を利用して他のデータの伝送速度を高めて、全体として、通信を効率化することができる。
【０００９】
ここで、送信側の無線通信装置や、受信側の無線通信装置としては、種々なものが用いられてもよく、例えば、基地局装置や、移動局装置や、固定設置された子局装置などを用いることができる。
また、送信側の無線通信装置としては、送信機能と受信機能を有するものが用いられてもよく、或いは、送信機能を有するが受信機能を有さないものが用いられてもよい。
また、受信側の無線通信装置としては、送信機能と受信機能を有するものが用いられてもよく、或いは、受信機能を有するが送信機能を有さないものが用いられてもよい。
【００１０】
また、音声データと同時に通信されるデータとしては、種々なものが用いられてもよく、例えば、テキストや画像などのように音声以外のデータが用いられる。また、例えば、アナログの音声信号を入力してデジタル化（符号化）して音声データとして通信するような場合に、当該音声データと同時に通信されるデータとして、既にデジタル化（符号化）されている音声データを用いるようなことも可能である。
【００１１】
また、スロットとしては、種々な構成のものが用いられてもよい。
また、スロットに含まれる大きい領域としては、例えば、音声データ又はデータを伝送するための領域を用いることができる。
また、スロットに含まれる小さい領域としては、例えば、音声データとデータを同時に伝送する際に使用される領域を用いることができる。
また、大きい領域と小さい領域としては、大きい領域の方が小さい領域と比べて例えば構成ビット数が多いといったように大きいものが用いられ、それぞれの領域の大きさとしては種々な態様が用いられてもよい。
【００１２】
また、音声データ及びデータを同時に送信する状態としては、例えば、音声データ及びデータを同時に送信するモードが人或いは装置により設定されているような状態が用いられる。このような状態では、例えば、実質的に有効な音声データの有無にかかわらず常に音声データを送信するのではなく、有効な音声データが無いときにはデータの送信を優先させることで、通信の効率化を図ることができる。
また、送信側の無線通信装置と受信側の無線通信装置との通信の状態としては、例えば、音声データ及びデータを同時に送信する状態以外に、音声データを送信する状態や、データを送信する状態や、何も送信しない状態などが切り替えられて用いられてもよく、或いは、音声データ及びデータを同時に送信する状態のみが用いられて当該状態が常に設定されてもよい。
【００１３】
また、送信対象となる音声データの有無を検出する手法としては、種々な手法が用いられてもよく、例えば、送信対象となる音声データを構成する音声のレベルを検出して、当該検出したレベルが所定の閾値以上である場合又は所定の閾値を超える場合には送信対象となる音声データが有ると判定する一方、当該検出したレベルが所定の閾値未満である場合又は所定の閾値以下である場合には送信対象となる音声データが無いと判定するような手法を用いることができる。
【００１４】
本発明に係る無線通信システムでは、一構成例として、次のような構成とした。
すなわち、前記送信側の無線通信装置では、前記スロット形成手段は、前記検出手段による検出結果に基づいて、音声データの有無を示す情報を含むスロットを形成する。
前記受信側の無線通信装置では、無線受信手段が前記送信側の無線通信装置から無線送信されたスロットを受信し、そして、抽出手段が、前記無線受信手段により受信されたスロットに含まれる前記音声データの有無を示す情報に基づいて、前記無線受信手段により受信された同一のスロット又は異なるスロット（つまり、前記音声データの有無を示す情報が含まれるスロットと同一のスロット又は異なるスロット）に含まれる音声データ及びデータの両方或いはデータ（つまり、音声データ及びデータの両方が受信される場合には当該両方であり、データが受信される場合には当該データ）を抽出する。
【００１５】
従って、音声データ及びデータを同時に通信する状態において、送信側の無線通信装置から受信側の無線通信装置へ音声データの有無が通知され、受信側の無線通信装置では、当該通知の内容に基づいて、音声データが有るときには受信したスロット中の大きい領域から音声データを抽出し小さい領域からデータを抽出し、音声データが無いときには受信したスロット中の大きい領域からデータを抽出することが行われ、これにより、送信側から送信されたスロットから適切に音声データやデータを抽出することができる。
【００１６】
ここで、音声データの有無を示す情報は、例えば、音声データやデータを含むスロットと同一のスロットに含められてもよく、或いは、音声データやデータを含まない異なるスロットに含められてもよい。
例えば、音声データ及びデータの両方を含むスロットに音声データが有ることを示す情報を含め、音声データを含まずデータを含むスロットに音声データが無いことを示す情報を含めるような態様を用いることができ、この場合、受信側では、受信したスロットに含まれる音声データの有無を示す情報に基づいて、当該スロットの状況（音声データ及びデータの両方が含まれるのか、或いは、音声データが含まれずデータが含まれるのか）を把握する。
【００１７】
また、例えば、或るスロットに含まれる音声データの有無を示す情報により他のスロットの状況を通知するようなことも可能である。具体例として、或るスロットに含まれる音声データの有無を示す情報により次のスロットの状況を通知することや、或いは、或るスロットに音声データの有無を示す情報及び他のスロットを指定する情報（例えば、スロット番号など）を含めておいて、当該他のスロットの状況を通知するようなことが可能である。
また、例えば、音声データの有無が変わった時点のみ音声データの有無を示す情報を送信側から受信側へ通知する態様を用いることもでき、この場合、受信側では、音声データが無くなったことを示す情報を受信したことに応じて受信したスロット中の大きい領域からデータを抽出する処理へ切り替え、その後、音声データが有るようになったことを示す情報を受信したことに応じて受信したスロット中の大きい領域から音声データを抽出し小さい領域からデータを抽出する処理へ切り替える。
【発明の効果】
【００１８】
以上説明したように、本発明に係る無線通信システムによると、送信側から受信側へ音声データ及びデータを同時に送信する場合に、音声データが有るときにはスロット中の大きい領域に音声データを含め小さい領域にデータを含めて通信し、音声データが無いときにはスロット中の大きい領域にデータを含めて通信するようにしたため、データの通信速度を速めることができ、通信の効率化を図ることができる。
【発明を実施するための最良の形態】
【００１９】
本発明に係る一実施例を図面を参照して説明する。
図１（ａ）、（ｂ）には、本発明の一実施例に係る無線通信システムに設けられる無線通信装置のデジタル通信処理部の構成例を示してあり、（ａ）は送信側の構成例を示してあり、（ｂ）は受信側の構成例を示してある。
なお、無線通信装置としては、例えば、送信側の機能と受信側の機能の両方を備えてもよく、或いは、いずれか一方のみを備えてもよい。
【００２０】
図１（ａ）に示されるように、本例の送信側は、音声コーデック１と、メモリ２と、処理部３を備えている。
送信対象となる音声信号が音声コーデック１に入力される。例えば、音声信号としては、人により発せられた音声をマイクなどにより入力した信号を用いることができる。
音声コーデック１は、入力された音声信号を符号化して音声データへ変換し、当該音声データを処理部３へ出力する。
また、音声コーデック１は、音声信号の入力の有無を判定する機能を有しており、当該判定の結果を示す情報（音声入力有無判定結果情報）を処理部３へ出力する。一例として、音声コーデック１は、入力される音声信号のレベルが所定の閾値以下又は未満である場合に音声信号の入力が無いと判定し、他の場合に音声信号の入力が有ると判定する。
【００２１】
メモリ２は、送信対象となるデータを蓄積する。なお、このデータとしては、例えば、音声以外のテキストや画像のデータが用いられるが、既に符号化されているような音声データが用いられてもよい。また、このデータは、例えば、予めメモリ２に設定されていてもよく、或いは、外部の人或いは装置から任意に書き込みや書き換えや削除などが為されてもよい。
例えば、データとしては、メモリ２に蓄積された複数のメッセージの中から人により或いは装置により選択されたメッセージのデータや、或いは、所定の検出器により検出された結果を示すデータや、或いは、撮像された画像のデータなどを用いることができる。
【００２２】
処理部３は、音声コーデック１から入力される音声データやメモリ２から読み出されるデータを用いてスロットを形成して無線により送信する。
また、音声データとデータを同時に送信する場合には、処理部３は、音声コーデック１から通知される音声入力有無判定結果情報に基づいて、スロットを形成する。また、この場合には、処理部３は、音声入力有無判定結果情報或いはそれに対応する情報（本例で、音声入力有無情報と言う）を受信側へ通知するためにスロットに含める。
【００２３】
本例の送信側により形成されるスロットの構成例を示す。
本例では、１個のスロットは、例えば図５に示されるのと同様に、制御データを伝送するための領域Ａ１と、音声データとデータを同時に伝送する際に使用される領域Ａ２と、音声データ又はデータを伝送するための領域Ａ３から構成されている。
図２（ａ）には、音声データとデータを同時に送信する場合に、音声入力が有るときにおけるスロットの構成例を示してある。
このとき、処理部３は、音声コーデック１からの音声データを音声データ又はデータを伝送するための領域Ａ３に格納し、メモリ２からのデータを音声データとデータを同時に伝送するための領域Ａ２に格納して、スロットを構成する。また、このとき、処理部３は、音声入力有無情報（ここでは、音声入力が有ることを示すフラグなどの情報）を例えば制御データの領域Ａ１に格納する。
【００２４】
図２（ｂ）には、音声データとデータを同時に送信する場合に、例えば一時的に、音声入力が無いときにおけるスロットの構成例を示してある。
このとき、処理部３は、音声コーデック１からの音声データについては送信対象とせずに、メモリ２からのデータを音声データ又はデータを伝送するための領域Ａ３に格納して、スロットを構成する。また、このとき、処理部３は、音声入力有無情報（ここでは、音声入力が無いことを示すフラグなどの情報）を例えば制御データの領域Ａ１に格納する。
このように、実質的に有効な音声データが存在しないときには、大きい領域Ａ３を使用してデータを送信する。
【００２５】
なお、例えば長い時間にわたって音声データ或いはデータの一方のみしか送信しないような場合には、処理部３は、送信対象（音声データ或いはデータの一方）を音声データ又はデータを伝送するための領域Ａ３に格納し、音声データとデータを同時に伝送するための領域Ａ２を空きとして、スロットを形成する。
また、送信側と受信側とでは、例えば、スロット中の領域Ａ１に含まれる制御データを使用して、送信側がどのようなスロット構成で送信しているかを受信側へ通知し、受信側が当該通知に基づいて受信したスロットを処理する。
【００２６】
図３には、音声データとデータを同時に伝送する場合における、スロット構成の時系列的な流れの一例を示してある。
図示されるように、音声の入力が一時的に無いときには、領域２１、２３のように音声データとデータを同時に伝送するための小さい領域Ａ２が空きとされて、領域２２、２４のように音声データ又はデータを伝送するための大きい領域Ａ３にデータが格納される。
このように、音声入力の有無に応じて、データを格納する領域を変化させながら伝送が行われる。
【００２７】
図１（ｂ）に示されるように、本例の受信側は、処理部１１と、音声コーデック１２を備えている。
処理部１１は、送信側から無線により送信されたスロットの信号を受信し、当該受信したスロットの領域Ａ１に含まれる制御データに基づいて、領域Ａ２や領域Ａ３に含まれる音声データやデータを抽出する。例えば、音声データとデータが同時に伝送される場合には、処理部１１は、送信側から通知された音声入力有無情報に基づいて、音声入力が有るときには領域Ａ２からデータを抽出し領域Ａ３から音声データを抽出し、音声入力が無いときには領域Ａ３からデータを抽出する。
【００２８】
処理部１１は、抽出した音声データを音声コーデック１２へ出力する。
音声コーデック１２は、入力された音声データを元の音声信号へ変換する。
例えば、音声コーデック１２により得られた音声信号はスピーカなどから音声出力され、処理部１１により抽出されたデータは画面などに表示される或いはメモリに記憶される。
【００２９】
以上のように、本例の無線通信システムでは、スロット化されたデジタル方式の無線通信を行うに際して、１スロット中に音声データ又はデータの伝送に使用する大きい領域Ａ３及び音声データと同時にデータを伝送するための小さい領域Ａ２が設けられている構成において、音声データとデータを同時に伝送する場合に、送信側では、通信を行いながら音声入力の有無を監視し、音声入力が有るときには音声データと同時にデータを伝送する小さい領域Ａ２でデータを伝送し、音声入力が無いときには音声データ又はデータの伝送に使用する大きい領域Ａ３でデータを伝送するように、音声入力の有無によってダイナミック且つリアルタイムでデータ伝送の態様を切り替えながら、音声データとデータを伝送する。
【００３０】
従って、本例の無線通信システムでは、音声データとデータを同時に伝送する場合に、音声データが一時的に途絶えるようなときには、データの伝送速度を速めることができ、音声データとデータを同時に伝送する場合における平均的なデータ伝送速度を高めることができ、通信の効率化を図ることができる。
一例として、本例の無線通信システムは、救急或いは消防などのような緊急通信が行われるシステムに適用されて有効なものである。例えば、救急隊や医者或いは消防隊による指示などの音声を送信側でマイクなどにより入力して音声データとして受信側へ無線送信するのと同時に、患者の心電図や血圧などの検出結果或いは火災現場の画像などのデータを送信側で取得して受信側へ無線送信するような場合に、音声データが途切れている時を利用して、データを迅速に伝送することができ、緊急事態に素早く対処することができる。
【００３１】
なお、本例の送信側の無線通信装置では、音声コーデック１により音声データの有無を検出する機能により検出手段が構成されており、処理部３により音声コーデック１からの音声データや音声入力有無判定結果情報やメモリ２からのデータに基づいてスロットを形成する機能によりスロット形成手段が構成されており、処理部３によりスロットを無線送信する機能により無線送信手段が構成されている。
また、本例の受信側の無線通信装置では、処理部１１によりスロットを無線受信する機能により無線受信手段が構成されており、処理部１１により送信側からの音声入力有無情報に基づいて受信したスロットに含まれる音声データやデータを抽出する機能により抽出手段が構成されている。
【００３２】
以下で、図１〜図３を用いて説明される本例の無線通信システムを適用することが可能な無線通信システムの具体例を示す。なお、本発明を適用することが可能なシステムは、ここで説明するものに限定されない。
図７には、時分割多重デジタル無線通信方式を採用したデジタル移動通信システムの一例を示してある。
基地局装置５１とその通信エリア５２内に存在する複数の移動局装置６１、６２との通信接続サービス、或いは、基地局装置５１を介して通信を行う異なる移動局装置６１、６２の間での通信接続サービスが実施される。
なお、通常、基地局装置５１は複数設置され、これら複数の基地局装置が統括局装置に接続されて統括局装置により管理される。
【００３３】
デジタル無線システムの一例として、市町村デジタル移動通信システムの規格が、ＡＲＩＢ  ＳＴＤ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ  Ｓｔａｎｄａｒｄ）として、社団法人  電波産業会により定められている。
図８には、この規格による無線キャリアの周波数割り当ての一例を示してある。
移動局装置６１、６２から基地局装置５１への上り方向の通信ではｆ１、ｆ２、・・・といった各周波数が使用され、基地局装置５１から移動局装置６１、６２への下り方向の通信ではＦ１、Ｆ２、・・・といった各周波数が使用される。各システムは、その規模に応じて１又は複数の無線キャリアを制御用キャリアとし、残りを通信用キャリアとして使用することができる。
【００３４】
図９には、各無線キャリアを分割して生成されるフレームの構成例を示してある。
本例のフレームは、４個のスロットに分けられて構成されている。これら４個のスロットは、それぞれ異なるチャネル（チャネル１、２、３、４）として使用される。このチャネルには、例えば、無線回線の接続制御を行う制御用チャネルと、通話やデータ通信を行う通信用チャネルが割り当てられる。
なお、１つ以上の制御用チャネルを含むキャリアを制御用キャリアと言い、通信用チャネルのみから構成されるキャリアを通信キャリアと言う。
【００３５】
図１０（ａ）、（ｂ）、（ｃ）を参照して、上述したような通信用無線キャリアを用いて、例えば、プレストーク方式で基地局装置５１と移動局装置６１、６２とが通信を行う場合について説明する。
図１０（ａ）には、基地局装置５１から移動局装置６１、６２へ下り方向の無線キャリアを使用して通信している場合におけるフレーム及びチャネルの構成例を示してある。
図１０（ｂ）には、移動局装置６１、６２から基地局装置５１へ上り方向の無線キャリアを使用して通信している場合におけるフレーム及びチャネルの構成例を示してある。
【００３６】
図１０（ｃ）には、移動局装置６１、６２における送受信のタイミングの一例を示してある。ＲＸは受信期間を示しており、ＴＸは送信期間を示しており、Ｉはアイドル期間を示している。
本例では、基地局装置５１におけるチャネル１（ＣＨ１）において基地局装置５１から移動局装置６１、６２への下り信号が通信され、移動局装置６１、６２におけるチャネル１（ＣＨ１）において移動局装置６１、６２から基地局装置５１への上り信号が通信される。
図１０（ａ）、（ｂ）、（ｃ）では、通話路の確立や使用チャネルの割り当てなどの制御動作が完了して、基地局装置５１と移動局装置６１、６２との通話路が確立されている場合を示している。
【００３７】
なお、上記のシステムとは異なる構成例として、基地局装置５１から移動局装置６１、６２への下り通信と移動局装置６１、６２から基地局装置５１への上り通信とで、同一の周波数を有する無線キャリアが共通に使用されてもよい。
また、これらの通信においては、例えば、音声データ及びデータを通信するといったように、複数種類のデータが通信される場合があってもよい。
【００３８】
次に、基地局装置や移動局装置の構成例を示す。
図１１には、送受信機能を有する基地局装置７１の構成例を示してある。
本例の基地局装置７１は、操作部８１と、表示部８２と、中央処理装置８３を備えている。また、中央処理装置８３は、記憶部９１と、スロット割当部９２を備えている。
また、本例の基地局装置７１は、アンテナ７３を有した無線機７２とケーブル７４を介して接続されている。
なお、本例では、基地局装置７１とは別体で無線機７２を設けた構成を示したが、基地局装置７１と一体で無線機７２が設けられてもよい。
【００３９】
操作部８１は人により操作されて各種の指示や情報を受け付け、表示部８２は画面に情報を表示する。
中央処理装置８３は、例えばＣＰＵ（Ｃｅｎｔｒａｌ  Ｐｒｏｃｅｓｓｉｎｇ  Ｕｎｉｔ）を有したコンピュータから構成され、基地局装置７１と移動局装置との通信接続サービスなど、デジタル移動通信システムの全体を制御する。記憶部９１はメモリから構成されて各種の情報を記憶し、スロット割当部９２はスロットの割り当てを行う。
中央処理装置８３と無線機７２とはケーブル７４を介して通信信号を送受信する。無線機７２は、送信対象となる基地局装置７１からの信号をアンテナ７３から移動局装置に対して無線送信し、アンテナ７３により受信された移動局装置からの信号を基地局装置７１へ伝送する。
【００４０】
図１２には、送受信機能を有する移動局装置の構成例を示してある。
本例の移動局装置は、アンテナ１０１と、切替部１０２と、受信部１０３と、復調部１０４と、スロット割当部１０５と、変調部１０６と、送信部１０７と、メモリ１０８と、キー入力部１０９と、音声入力部１１０と、音声出力部１１１と、表示部１１２を備えている。
【００４１】
アンテナ１０１は無線信号を送受信し、切替部１０２はスイッチにより送信と受信を切り替え、受信部１０３は受信信号を処理し、復調部１０４は受信信号を復調し、スロット割当部１０５はスロットの割り当てを行い、変調部１０６は送信信号を変調し、送信部１０７は送信信号を処理する。
また、メモリ１０８は各種の情報を記憶し、キー入力部１０９は人により操作されて各種の指示や情報を受け付け、音声入力部１１０はマイクから構成されて人により発せられる音声を入力し、音声出力部１１１はスピーカから構成されて音声を出力し、表示部１１２は画面に情報を表示する。
また、制御部１１３は、移動局装置における全体的な制御を行う。
【００４２】
例えば、移動局装置を受信状態にする場合には、人によりプレストークスイッチ（図示せず）を受信側へ切り替える。これにより、基地局装置からの受信信号は、アンテナ１０１、切替部１０２、受信部１０３、復調部１０４を経由して復調される。スロット割当部１０５は、復調信号に基づいて、基地局装置から送信されるスロット（チャネル）に従った出力を制御部１１３へ引き渡す。制御部１１３は、プレストークスイッチが受信側へ切り替えられることにより、移動局装置を受信機として動作させる。また、制御部１１３は、キー入力部１０９からの指示やメモリ１０８に記憶された制御プログラムに従って移動局装置全体の制御を行う。更に、制御部１１３は、復調部１０４による復調結果について、復調されたデータを表示部１１２により表示することや、復調された音声信号を音声出力部１１１により出力することを行う。
【００４３】
また、移動局装置を送信状態にする場合には、人によりプレストークスイッチ（図示せず）を送信側へ切り替える。これにより、制御部１１３は、移動局装置を送信機として動作させる。制御部１１３は、音声入力部１１０から入力された音声のデータやキー入力部１０９から入力されたデータやメモリ１０８に記憶されたデータをスロット割当部１０５へ引き渡す。スロット割当部１０５は、制御部１１３から引き渡された音声データやデータを所定のスロットの領域に格納して変調部１０６へ引き渡す。このスロットの信号が、変調部１０６により変調されて、送信部１０７、切り替え部１０２を経由して、アンテナ１０１から基地局装置に対して無線送信される。
【００４４】
ここで、本発明に係る無線通信システムや各装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線通信システムや各装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４５】
【図１】本発明の一実施例に係るデジタル無線通信部の構成例を示す図であり、（ａ）は送信側の構成例を示す図であり、（ｂ）は受信側の構成例を示す図である。
【図２】（ａ）は音声入力が有るときのスロットの構成例を示す図であり、（ｂ）は音声入力が無いときのスロットの構成例を示す図である。
【図３】スロット構成の時系列的な流れの一例を示す図である。
【図４】デジタル無線通信部の送信側の構成例を示す図である。
【図５】スロットの構成例を示す図である。
【図６】スロット構成の時系列的な流れの一例を示す図である。
【図７】デジタル移動通信システムの一例を示す図である。
【図８】無線キャリアの周波数割り当ての一例を示す図である。
【図９】フレームの構成例を示す図である。
【図１０】（ａ）、（ｂ）、（ｃ）は基地局装置と移動局装置との通信の一例を示す図である。
【図１１】基地局装置の構成例を示す図である。
【図１２】移動局装置の構成例を示す図である。
【符号の説明】
【００４６】
１、１２、３１・・音声コーデック、  ２、３２、１０８・・メモリ、  ３、１１、３３・・処理部、  ２１〜２４、４１〜４４、Ａ１〜Ａ３・・領域、  ５１、７１・・基地局装置、  ５２・・通信エリア、  ６１、６２・・移動局装置、  ７２・・無線機、  ７３、１０１・・アンテナ、  ７４・・ケーブル、  ８１・・操作部、  ８２、１１２・・表示部、  ８３・・中央処理装置、  ９１・・記憶部、  ９２、１０５・・スロット割当部、  １０２・・切替部、  １０３・・受信部、  １０４・・復調部、  １０６・・変調部、  １０７・・送信部、  １０９・・キー入力部、  １１０・・音声入力部、  １１１・・音声出力部、
【図１】
2007043481.tif 000003
【図２】
2007043481.tif 000004
【図３】
2007043481.tif 000005
【図４】
2007043481.tif 000006
【図５】
2007043481.tif 000007
【図６】
2007043481.tif 000008
【図７】
2007043481.tif 000009
【図８】
2007043481.tif 000010
【図９】
2007043481.tif 000011
【図１０】
2007043481.tif 000012
【図１１】
2007043481.tif 000013
【図１２】
2007043481.tif 000014